(57)【要約】【課題】複数のコンポーネントキャリアを用いて通信する移動通信端末を簡易な構成で試験することができる移動通信端末試験システム及び移動通信端末試験方法を提供する。【解決手段】移動通信端末試験システム１００は、第１のサーバ１０１からの試験データをＤＬ＿ＣＣ１によってＵＥ１に送信する第１の試験装置１０と、第２のサーバ１０２からの試験データをＤＬ＿ＣＣ２によってＵＥ１に送信する第２の試験装置２０と、第３のサーバ１０３からの試験データをＤＬ＿ＣＣ３によってＵＥ１に送信する第３の試験装置３０と、を備え、第１の試験装置は、ＤＬ＿ＣＣ１によってＵＥ１に送信した通信データの再送処理を行う再送処理部１４ｂを備え、第２の試験装置２０及び３０は、それぞれ、ＤＬ＿ＣＣ２及びＤＬ＿ＣＣ３によってＵＥ１に送信した通信データの再送処理を行う再送処理部２４ｂ及び３４ｂを備える。【選択図】図１
2015035689.tif 000002
【特許請求の範囲】
【請求項１】
プライマリコンポーネントキャリア（ＤＬ＿ＣＣ１）と少なくとも１つのセカンダリコンポーネントキャリア（ＤＬ＿ＣＣ２、ＤＬ＿ＣＣ３）とを含む下りリンクの複数のコンポーネントキャリアを用いて移動通信端末（１）を試験する移動通信端末試験システム（１００）であって、
前記プライマリコンポーネントキャリアによって試験データを含む通信データを前記移動通信端末に送信する第１の試験装置（１０）と、
前記セカンダリコンポーネントキャリアによって試験データを含む通信データを前記移動通信端末に送信する少なくとも１つの第２の試験装置（２０、３０）と、
前記第１及び前記第２の試験装置が前記通信データに含めて前記移動通信端末に送信する複数の試験データを互いに異なる経路で前記第１及び前記第２の試験装置にそれぞれ出力する複数の試験データ出力手段（１０１〜１０３）と、
前記下りリンクの各コンポーネントキャリアの周波数及び前記移動通信端末が用いる上りリンクのコンポーネントキャリア（ＵＬ＿ＣＣ）の周波数を含む試験パラメータを設定する試験パラメータ設定手段（１１、２１、３１）と、
を備え、
前記第１及び前記第２の試験装置は、それぞれ、前記移動通信端末が前記上りリンクのコンポーネントキャリアによって送信した制御情報を含む送信信号を受信する送信信号受信手段（１４、２４、３４）を備え、
前記第１の試験装置は、前記制御情報のうち、前記プライマリコンポーネントキャリアによって前記移動通信端末に送信した通信データに係る処理を行う第１の通信データ処理手段（１４ｂ）を備え、
前記第２の試験装置は、前記制御情報のうち、自装置が前記セカンダリコンポーネントキャリアによって前記移動通信端末に送信した通信データに係る処理を行う第２の通信データ処理手段（２４ｂ、３４ｂ）を備えたことを特徴とする移動通信端末試験システム。
【請求項２】
前記移動通信端末は、前記各試験データを含む通信データの受信状態に応じて受信確認情報を前記上りリンクのコンポーネントキャリアによって送信するものであって、
前記第１の試験装置は、前記移動通信端末が送信した前記受信確認情報に基づいて、前記プライマリコンポーネントキャリア及び前記セカンダリコンポーネントキャリアによって前記移動通信端末に送信された前記各通信データの物理層における全体のスループット又は前記コンポーネントキャリアごとの各スループットを測定するスループット測定手段（１５）をさらに備えたことを特徴とする請求項１に記載の移動通信端末試験システム。
【請求項３】
前記各試験データ出力手段と前記移動通信端末との間におけるスループットを測定するスループット測定手段（１０５）をさらに備えたことを特徴とする請求項１又は請求項２に記載の移動通信端末試験システム。
【請求項４】
前記第１の試験装置は、前記制御情報が、前記プライマリコンポーネントキャリアによって前記移動通信端末に送信した通信データに係る情報を含むか否かを判定する第１の判定部（１４ａ）をさらに備え、
前記第２の試験装置は、前記制御情報が、自装置が前記セカンダリコンポーネントキャリアによって前記移動通信端末に送信した通信データに係る情報を含むか否かを判定する第２の判定部（２４ａ、３４ａ）をさらに備え、
前記第１及び前記第２の通信データ処理手段は、それぞれ、前記第１及び前記第２の判定部の判定結果に基づいて前記通信データに係る処理を行うものであることを特徴とする請求項１から請求項３までのいずれか１項に記載の移動通信端末試験システム。
【請求項５】
前記第１の通信データ処理手段は、前記第１の試験装置が前記プライマリコンポーネントキャリアによって前記移動通信端末に送信した通信データのうち、前記移動通信端末が受信に失敗した通信データの再送処理を行うものであり、
前記第２の通信データ処理手段は、前記第２の試験装置が前記セカンダリコンポーネントキャリアによって前記移動通信端末に送信した通信データのうち、前記移動通信端末が受信に失敗した通信データの再送処理を行うものであることを特徴とする請求項１から請求項４までのいずれか１項に記載の移動通信端末試験システム。
【請求項６】
プライマリコンポーネントキャリア（ＤＬ＿ＣＣ１）と少なくとも１つのセカンダリコンポーネントキャリア（ＤＬ＿ＣＣ２、ＤＬ＿ＣＣ３）とを含む下りリンクの複数のコンポーネントキャリアを用いて移動通信端末（１）を試験する移動通信端末試験システム（１００）を用いて前記移動通信端末を試験する移動通信端末試験方法であって、
前記移動通信端末試験システムは、
前記プライマリコンポーネントキャリアによって試験データを含む通信データを前記移動通信端末に送信する第１の試験装置（１０）と、
前記セカンダリコンポーネントキャリアによって試験データを含む通信データを前記移動通信端末に送信する少なくとも１つの第２の試験装置（２０、３０）と、
前記第１及び前記第２の試験装置が前記通信データに含めて前記移動通信端末に送信する複数の試験データを互いに異なる経路で前記第１及び前記第２の試験装置にそれぞれ出力する複数の試験データ出力手段（１０１〜１０３）と、
前記下りリンクの各コンポーネントキャリアの周波数及び前記移動通信端末が用いる上りリンクのコンポーネントキャリア（ＵＬ＿ＣＣ）の周波数を含む試験パラメータを設定する試験パラメータ設定手段（１１、２１、３１）と、
を備え、
前記第１及び前記第２の試験装置は、それぞれ、前記移動通信端末が前記上りリンクのコンポーネントキャリアによって送信した制御情報を含む送信信号を受信する送信信号受信ステップ（Ｓ１８）を実行し、
前記第１の試験装置は、前記制御情報のうち、前記プライマリコンポーネントキャリアによって前記移動通信端末に送信した通信データに係る処理を行う第１の通信データ処理ステップ（Ｓ１９）を実行し、
前記第２の試験装置は、前記制御情報のうち、自装置が前記セカンダリコンポーネントキャリアによって前記移動通信端末に送信した通信データに係る処理を行う第２の通信データ処理ステップ（Ｓ２０、Ｓ２１）を実行することを特徴とする移動通信端末試験方法。
【請求項７】
前記移動通信端末は、前記各試験データを含む通信データの受信状態に応じて受信確認情報を前記上りリンクのコンポーネントキャリアによって送信するものであって、
前記第１の試験装置は、前記移動通信端末が送信した前記受信確認情報に基づいて、前記プライマリコンポーネントキャリア及び前記セカンダリコンポーネントキャリアによって前記移動通信端末に送信された前記各通信データの物理層における全体のスループット又は前記コンポーネントキャリアごとの各スループットを測定するスループット測定ステップ（Ｓ２４）をさらに実行することを特徴とする請求項６に記載の移動通信端末試験方法。
【請求項８】
前記各試験データ出力手段と前記移動通信端末との間におけるスループットを測定するスループット測定ステップ（Ｓ２７）をさらに含むことを特徴とする請求項６又は請求項７に記載の移動通信端末試験方法。
【発明の詳細な説明】
【技術分野】
【０００１】
本発明は、複数のコンポーネントキャリアを用いて通信する移動通信端末を試験する移動通信端末試験システム及び移動通信端末試験方法に関する。
【背景技術】
【０００２】
近年、移動通信サービスのブロードバンド化に伴い、更なる高速化及び大容量化が求められており、Ｗ−ＣＤＭＡ（Wideband-Code Division Multiple Access）に代表される第３世代移動通信システムや３．５世代移動通信システムに代わる次世代移動通信システムであるＬＴＥ（Long Term Evolution）が、第４世代通信システムにつながる標準規格として規格化されている。
【０００３】
このＬＴＥは、３ＧＰＰ（Third Generation Partnership Project）が標準化に向けて策定した通信規格であって、複数のチャネル幅（１．４ＭＨｚ、３ＭＨｚ、５ＭＨｚ、１０ＭＨｚ、１５ＭＨｚ、又は、２０ＭＨｚ）が規格で規定され、下りにＯＦＤＭＡ（Orthogonal Frequency Division Multiple Access：直交周波数分割多元接続）、上りにＳＣ−ＦＤＭＡ（Single Carrier-Frequency Division Multiple Access：シングルキャリア周波数分割多元接続）を採用し、ピークデータレートが下り方向１５０Ｍｂｐｓ以上、上り方向５０Ｍｂｐｓ以上（何れも周波数帯域幅が２０ＭＨｚにおいて）の通信速度を要求条件としている。
【０００４】
また、更なる広帯域化及び高速化を目的として、ＬＴＥの受信可能帯域幅であったシステム帯域を包括する広帯域を用いるＬＴＥ−Ａｄｖａｎｃｅｄ（以下「ＬＴＥ−Ａ」という）の標準化が開始されている。
【０００５】
ＬＴＥ−Ａは、その特徴としてＬＴＥとの互換性を保ちながら、柔軟に広帯域化を行うために、空間多重技術のＭＩＭＯ（Multiple Input Multiple Output）の高度化と、コンポーネントキャリア（Component Carrier）と呼ばれるＬＴＥ用の周波数ブロック（最大２０ＭＨｚのチャネル帯域幅）を束ねる帯域拡張の実現手段となる周波数広帯域化（Carrier Aggregation：キャリアアグリゲーション）の２つの技術を取り入れ、各コンポーネントキャリアにおいて、電波環境に応じた適応変調チャネル符号化やハイブリッド自動転送要求（ＨＡＲＱ）を行うことにより、効率を高め、伝送速度の向上を図っている（例えば、非特許文献１参照）。
【先行技術文献】
【非特許文献】
【０００６】
【非特許文献１】ＮＴＴ  ＤＯＣＯＭＯ  テクニカル・ジャーナル  Vol.18 No.2 Jul.2010 12-21P
【発明の概要】
【発明が解決しようとする課題】
【０００７】
ところで、ＬＴＥ−Ａの研究開発を進めるにあたり、ＬＴＥ−Ａに対応した移動通信端末試験装置の開発が望まれている。このＬＴＥ−Ａに対応した移動通信端末試験装置は、複雑な構成となるため、開発が容易でなく、コストが高くなる。しかし、前述のように、ＬＴＥ−ＡはＬＴＥと互換性を有しているので、ＬＴＥ用の移動通信端末試験装置をコンポーネントキャリア数だけ用意して移動通信端末に接続する簡易な構成で移動通信端末試験システムを構築することにより、早期対応を図ることが考えられる。
【０００８】
しかしながら、ＬＴＥ用の移動通信端末試験装置を単純に複数台接続しただけではＬＴＥ−Ａに対応した移動通信端末試験システムを実現することはできないという課題があった。
【０００９】
本発明は、前述のような事情に鑑みてなされたものであり、複数のコンポーネントキャリアを用いて通信する移動通信端末を簡易な構成で試験することができる移動通信端末試験システム及び移動通信端末試験方法を提供することを目的とする。
【課題を解決するための手段】
【００１０】
本発明の請求項１に係る移動通信端末試験システムは、プライマリコンポーネントキャリア（ＤＬ＿ＣＣ１）と少なくとも１つのセカンダリコンポーネントキャリア（ＤＬ＿ＣＣ２、ＤＬ＿ＣＣ３）とを含む下りリンクの複数のコンポーネントキャリアを用いて移動通信端末（１）を試験する移動通信端末試験システム（１００）であって、前記プライマリコンポーネントキャリアによって試験データを含む通信データを前記移動通信端末に送信する第１の試験装置（１０）と、前記セカンダリコンポーネントキャリアによって試験データを含む通信データを前記移動通信端末に送信する少なくとも１つの第２の試験装置（２０、３０）と、前記第１及び前記第２の試験装置が前記通信データに含めて前記移動通信端末に送信する複数の試験データを互いに異なる経路で前記第１及び前記第２の試験装置にそれぞれ出力する複数の試験データ出力手段（１０１〜１０３）と、前記下りリンクの各コンポーネントキャリアの周波数及び前記移動通信端末が用いる上りリンクのコンポーネントキャリア（ＵＬ＿ＣＣ）の周波数を含む試験パラメータを設定する試験パラメータ設定手段（１１、２１、３１）と、を備え、前記第１及び前記第２の試験装置は、それぞれ、前記移動通信端末が前記上りリンクのコンポーネントキャリアによって送信した制御情報を含む送信信号を受信する送信信号受信手段（１４、２４、３４）を備え、前記第１の試験装置は、前記制御情報のうち、前記プライマリコンポーネントキャリアによって前記移動通信端末に送信した通信データに係る処理を行う第１の通信データ処理手段（１４ｂ）を備え、前記第２の試験装置は、前記制御情報のうち、自装置が前記セカンダリコンポーネントキャリアによって前記移動通信端末に送信した通信データに係る処理を行う第２の通信データ処理手段（２４ｂ、３４ｂ）を備えた構成を有している。
【００１１】
この構成により、本発明の請求項１に係る移動通信端末試験システムは、第１の試験装置及び少なくとも１つの第２の試験装置が、それぞれ、複数の試験データ出力手段から互いに異なる経路で試験データを受信し、第１の試験装置がプライマリコンポーネントキャリアによって試験データを移動通信端末に送信し、第２の試験装置がセカンダリコンポーネントキャリアによって試験データを移動通信端末に送信することができる。
【００１２】
したがって、本発明の請求項１に係る移動通信端末試験システムは、複数のコンポーネントキャリアを用いて通信する移動通信端末を簡易な構成で試験することができる。
【００１３】
本発明の請求項２に係る移動通信端末試験システムは、前記移動通信端末は、前記各試験データを含む通信データの受信状態に応じて受信確認情報を前記上りリンクのコンポーネントキャリアによって送信するものであって、前記第１の試験装置は、前記移動通信端末が送信した前記受信確認情報に基づいて、前記プライマリコンポーネントキャリア及び前記セカンダリコンポーネントキャリアによって前記移動通信端末に送信された前記各通信データの物理層における全体のスループット又は前記コンポーネントキャリアごとの各スループットを測定するスループット測定手段（１５）をさらに備えた構成を有している。
【００１４】
この構成により、本発明の請求項２に係る移動通信端末試験システムは、スループット測定手段により、プライマリコンポーネントキャリア及びセカンダリコンポーネントキャリアによって移動通信端末に送信された各通信データの物理層における全体のスループット又はコンポーネントキャリアごとの各スループットを測定することができる。
【００１５】
本発明の請求項３に係る移動通信端末試験システムは、前記各試験データ出力手段と前記移動通信端末との間におけるスループットを測定するスループット測定手段（１０５）をさらに備えた構成を有している。
【００１６】
この構成により、本発明の請求項３に係る移動通信端末試験システムは、スループット測定手段により、各試験データ出力手段と移動通信端末との間におけるスループットを測定することができる。
【００１７】
本発明の請求項４に係る移動通信端末試験システムは、前記第１の試験装置は、前記制御情報が、前記プライマリコンポーネントキャリアによって前記移動通信端末に送信した通信データに係る情報を含むか否かを判定する第１の判定部（１４ａ）をさらに備え、前記第２の試験装置は、前記制御情報が、自装置が前記セカンダリコンポーネントキャリアによって前記移動通信端末に送信した通信データに係る情報を含むか否かを判定する第２の判定部（２４ａ、３４ａ）をさらに備え、前記第１及び前記第２の通信データ処理手段は、それぞれ、前記第１及び前記第２の判定部の判定結果に基づいて前記通信データに係る処理を行うものである構成を有している。
【００１８】
この構成により、本発明の請求項４に係る移動通信端末試験システムは、第１及び第２の通信データ処理手段が、それぞれ、第１及び第２の判定部の判定結果に基づいて通信データに係る処理を行うことができる。
【００１９】
本発明の請求項５に係る移動通信端末試験システムは、前記第１の通信データ処理手段は、前記第１の試験装置が前記プライマリコンポーネントキャリアによって前記移動通信端末に送信した通信データのうち、前記移動通信端末が受信に失敗した通信データの再送処理を行うものであり、前記第２の通信データ処理手段は、前記第２の試験装置が前記セカンダリコンポーネントキャリアによって前記移動通信端末に送信した通信データのうち、前記移動通信端末が受信に失敗した通信データの再送処理を行うものである構成を有している。
【００２０】
この構成により、本発明の請求項５に係る移動通信端末試験システムは、移動通信端末が受信に失敗した通信データの再送処理をコンポーネントキャリアごとに行うことができる。
【００２１】
本発明の請求項６に係る移動通信端末試験方法は、プライマリコンポーネントキャリア（ＤＬ＿ＣＣ１）と少なくとも１つのセカンダリコンポーネントキャリア（ＤＬ＿ＣＣ２、ＤＬ＿ＣＣ３）とを含む下りリンクの複数のコンポーネントキャリアを用いて移動通信端末（１）を試験する移動通信端末試験システム（１００）を用いて前記移動通信端末を試験する移動通信端末試験方法であって、前記移動通信端末試験システムは、前記プライマリコンポーネントキャリアによって試験データを含む通信データを前記移動通信端末に送信する第１の試験装置（１０）と、前記セカンダリコンポーネントキャリアによって試験データを含む通信データを前記移動通信端末に送信する少なくとも１つの第２の試験装置（２０、３０）と、前記第１及び前記第２の試験装置が前記通信データに含めて前記移動通信端末に送信する複数の試験データを互いに異なる経路で前記第１及び前記第２の試験装置にそれぞれ出力する複数の試験データ出力手段（１０１〜１０３）と、前記下りリンクの各コンポーネントキャリアの周波数及び前記移動通信端末が用いる上りリンクのコンポーネントキャリア（ＵＬ＿ＣＣ）の周波数を含む試験パラメータを設定する試験パラメータ設定手段（１１、２１、３１）と、を備え、前記第１及び前記第２の試験装置は、それぞれ、前記移動通信端末が前記上りリンクのコンポーネントキャリアによって送信した制御情報を含む送信信号を受信する送信信号受信ステップ（Ｓ１８）を実行し、前記第１の試験装置は、前記制御情報のうち、前記プライマリコンポーネントキャリアによって前記移動通信端末に送信した通信データに係る処理を行う第１の通信データ処理ステップ（Ｓ１９）を実行し、前記第２の試験装置は、前記制御情報のうち、自装置が前記セカンダリコンポーネントキャリアによって前記移動通信端末に送信した通信データに係る処理を行う第２の通信データ処理ステップ（Ｓ２０、Ｓ２１）を実行する構成を有している。
【００２２】
この構成により、本発明の請求項６に係る移動通信端末試験方法は、第１の試験装置及び少なくとも１つの第２の試験装置が、それぞれ、複数の試験データ出力手段から互いに異なる経路で試験データを受信し、第１の試験装置がプライマリコンポーネントキャリアによって試験データを移動通信端末に送信し、第２の試験装置がセカンダリコンポーネントキャリアによって試験データを移動通信端末に送信することができる。
【００２３】
したがって、本発明の請求項６に係る移動通信端末試験方法は、複数のコンポーネントキャリアを用いて通信する移動通信端末を簡易な構成で試験することができる。
【００２４】
本発明の請求項７に係る移動通信端末試験方法は、前記移動通信端末は、前記各試験データを含む通信データの受信状態に応じて受信確認情報を前記上りリンクのコンポーネントキャリアによって送信するものであって、前記第１の試験装置は、前記移動通信端末が送信した前記受信確認情報に基づいて、前記プライマリコンポーネントキャリア及び前記セカンダリコンポーネントキャリアによって前記移動通信端末に送信された前記各通信データの物理層における全体のスループット又は前記コンポーネントキャリアごとの各スループットを測定するスループット測定ステップ（Ｓ２４）をさらに実行する構成を有している。
【００２５】
この構成により、本発明の請求項７に係る移動通信端末試験方法は、スループット測定ステップにおいて、プライマリコンポーネントキャリア及びセカンダリコンポーネントキャリアによって移動通信端末に送信された各通信データの物理層における全体のスループット又はコンポーネントキャリアごとの各スループットを測定することができる。
【００２６】
本発明の請求項８に係る移動通信端末試験方法は、前記各試験データ出力手段と前記移動通信端末との間におけるスループットを測定するスループット測定ステップ（Ｓ２７）をさらに含む構成を有している。
【００２７】
この構成により、本発明の請求項８に係る移動通信端末試験方法は、スループット測定ステップにおいて、各試験データ出力手段と移動通信端末との間におけるスループットを測定することができる。
【発明の効果】
【００２８】
本発明は、複数のコンポーネントキャリアを用いて通信する移動通信端末を簡易な構成で試験することができるという効果を有する移動通信端末試験システム及び移動通信端末試験方法を提供することができるものである。
【図面の簡単な説明】
【００２９】
【図１】本発明に係る移動通信端末試験システムの一実施形態におけるブロック構成図である。
【図２】本発明に係る移動通信端末試験システムにおいて、送受信部の判定部が受信するＨＡＲＱ−ＡＣＫ情報の一例を示す図である。
【図３】本発明に係る移動通信端末試験システムにおいて、送受信部の詳細なブロック構成図である。
【図４】本発明に係る移動通信端末試験システムにおいて、第１のスループット測定部の一実施形態におけるブロック構成図である。
【図５】本発明に係る移動通信端末試験システムにおいて、下りリンク及び上りリンクにおけるキャリアコンポーネントの中心周波数の設定例を示す図である。
【図６】本発明に係る移動通信端末試験システムの一実施形態におけるフローチャートである。
【発明を実施するための形態】
【００３０】
以下、本発明の実施形態について図面を用いて説明する。
【００３１】
まず、本発明に係る移動通信端末試験システムの一実施形態における構成について説明する。
【００３２】
図１に示すように、本実施形態における移動通信端末試験システム１００は、第１〜第３のサーバ１０１〜１０３、第１〜第３の試験装置１０〜３０、結合器１０４、第２のスループット測定部１０５を備えている。この移動通信端末試験システム１００は、ＬＴＥ−Ａの通信規格に従って、移動通信端末（以下「ＵＥ」という）１を試験するものとする。ただし、説明を簡単にするため、移動通信端末試験システム１００は、マルチアンテナではなく、シングルアンテナを用いた通信を行う構成を有するものとする。
【００３３】
試験を行う際に、移動通信端末試験システム１００は、第１〜第３の試験装置１０〜３０からＵＥ１に向かう下りリンクにおいて、１つの所定周波数帯域のプライマリコンポーネントキャリアと、２つの所定周波数帯域のセカンダリコンポーネントキャリアとを含む下りリンクの複数のコンポーネントキャリアを用いることとする。一方、移動通信端末試験システム１００は、ＵＥ１から第１〜第３の試験装置１０〜３０に向かう上りリンクにおいて、１つの所定周波数帯域のコンポーネントキャリアを用いることとする。
【００３４】
なお、ＬＴＥ−Ａの通信規格に従えば、移動通信端末試験システム１００は、下りリンク及び上りリンクにおいてそれぞれデータ量に応じて複数（例えば各５つ）のコンポーネントキャリアを用いた試験を行うことができるが、説明を簡単にするため、前述のように、下りリンクでは３つのコンポーネントキャリアを用いる例で説明する。また、上りリンクでは１つのコンポーネントキャリアを用いることとしている。
【００３５】
以下の説明において、下りリンクのプライマリコンポーネントキャリアをＤＬ＿ＣＣ１、２つの下りリンクの第１及び第２のセカンダリコンポーネントキャリアをそれぞれＤＬ＿ＣＣ２及びＤＬ＿ＣＣ３、上りリンクのコンポーネントキャリアをＵＬ＿ＣＣの記号でそれぞれ示す。
【００３６】
第１〜第３のサーバ１０１〜１０３は、例えばパーソナルコンピュータ（以下「ＰＣ」という）で構成される。第１〜第３のサーバ１０１〜１０３は、それぞれ、互いに異なるＩＰ（Internet Protocol）アドレスを有し、第１〜第３の試験装置１０〜３０を介して、所定の試験データをＩＰパケットに含めてＩＰデータとしてＵＥ１に送信するようになっている。すなわち、第１〜第３のサーバ１０１〜１０３は、複数の試験データを互いに異なる経路で第１〜第３の試験装置１０〜３０にそれぞれ出力するようになっており、本発明に係る複数の試験データ出力手段を構成する。
【００３７】
第１の試験装置１０は、設定部１１、同期部１２、制御部１３、送受信部１４、第１のスループット測定部１５を備えている。
【００３８】
設定部１１は、例えばキーボードやディスプレイで構成され、試験者がキーボードを操作することによってＵＥ１を試験する試験パラメータが設定されるようになっている。例えば、設定部１１は、第１の試験装置１０が用いるＤＬ＿ＣＣ１の中心周波数、ＵＥ１が用いるＵＬ＿ＣＣの中心周波数、第１〜第３のサーバ１０１〜１０３の各ＩＰアドレス、ＵＥ１のＩＰアドレスを設定するようになっている。なお、設定部１１は、本発明に係る試験パラメータ設定手段を構成する。
【００３９】
また、設定部１１は、第１〜第３の試験装置１０〜３０がそれぞれＵＥ１との間でＩＰパケットを送受信するために確立する論理的なパスであるＥＰＳ（Evolved Packet System：発展型パケットシステム）ベアラの論理チャネル情報を第１〜第３のサーバ１０１〜１０３の各ＩＰアドレスに関連付けて設定するようになっている。このＥＰＳベアラには、特定のＱｏＳ（Quality of Service）レベルを設定することができ、またＥＰＳベアラとＴＦＴ（Traffic Flow Template）とが関連付けられる。ＴＦＴは、通信データであるフローを識別するフィルタ情報の集合で定義され、各フィルタ情報に宛先ＩＰアドレスやポート番号、プロトコル情報等を指定することができる。したがって、ＴＦＴによって特定アプリケーションのトラフィックフローや特定の通信相手とのフローを識別することができる。
【００４０】
同期部１２は、第１〜第３の試験装置１０〜３０の間でのシステムクロックを統一するものである。例えば、同期部１２は、第１の試験装置１０のシステムクロックを第２の試験装置２０の同期部２２及び第３の試験装置３０の同期部３２に出力することにより、第１〜第３の試験装置１０〜３０の間でシステムクロックを統一するようになっている。また、同期部１２は、ＵＥ１との送受信におけるシンボルタイミング及びフレームタイミングを互いに一致させるよう、所定の制御信号を同期部２２及び３２に出力するようになっている。その結果、第１〜第３の試験装置１０〜３０からＵＥ１に出力される各通信データのシンボルタイミング及びフレームタイミングは互いに一致したものとなる。
【００４１】
制御部１３は、例えば、ＣＰＵ、ＲＯＭ、ＲＡＭ等を備え、ＲＯＭに予め記憶されたプログラムに従って動作するものであり、第１の試験装置１０の全体的な制御を行うとともに、試験の開始前に送受信部１４を介してＵＥ１と通信して呼接続を確立するようになっている。この際、制御部１３は、第１の試験装置１０の送受信部１４とＵＥ１との間にＥＰＳベアラを確立する。同様に、制御部１３は、第２の試験装置２０の送受信部２４とＵＥ１との間にＥＰＳベアラを確立するようにＵＥ１とやりとりする。また、制御部１３は、第３の試験装置３０の送受信部３４とＵＥ１との間にＥＰＳベアラを確立するようにＵＥ１とやりとりする。そして、制御部１３は、各ＥＰＳベアラの論理チャネル情報を第１〜第３のサーバ１０１〜１０３の各ＩＰアドレスに関連付けてＵＥ１に通知するようになっている。
【００４２】
また、本実施形態では、制御部１３は、ＤＬ＿ＣＣ２及びＤＬ＿ＣＣ３がそれぞれ含まれる各セルが使用可能であることを通知するためのセル使用可能通知信号をそれぞれ制御部２３及び３３に出力するようになっている。
【００４３】
送受信部１４は、階層構造の機能を有し、第１のサーバ１０１からの試験データを含むＩＰパケットを無線信号としてＵＥ１に送信するとともに、ＵＥ１からのＩＰパケットを含んだ無線信号を受信するようになっている。この送受信部１４は、本発明に係る送信信号受信手段を構成する。
【００４４】
具体的には、送受信部１４は、レイヤ１（物理層）及びレイヤ２（データリンク層）を有している。レイヤ２は、サブレイヤとして、ＰＤＣＰ（パケットデータ収束）層、ＲＬＣ（無線リンク制御）層、ＭＡＣ（メディアアクセス制御）層を含む。ＰＤＣＰ層は、ユーザデータの秘匿及びヘッダ圧縮等を行う。ＲＬＣ層は、ＡＲＱ（Automatic Repeat reQuest）による再送制御及びＳＤＵ（Service Data Unit）分割、結合及び順序制御等を行う。ＭＡＣ層は、ＨＡＲＱ（Hybrid-ARQ）による再送制御及びユーザデータスケジューリング等を行う。ＰＤＣＰ層、ＲＬＣ層、ＭＡＣ層の各サブレイヤはＳＡＰ（サービスアクセスポイント）と呼ばれるインターフェイスで結合されており、ＭＡＣ層と物理層とを結ぶＳＡＰが伝送チャネル、ＲＬＣ層とＭＡＣ層とを結ぶＳＡＰが論理チャネルを示す。
【００４５】
また、送受信部１４は、前述の各レイヤで処理されて出力されたベースバンド信号を所定周波数のＲＦ信号に周波数変換してＵＥ１に出力するとともに、ＵＥ１から所定周波数のＲＦ信号を入力して周波数変換しベースバンド信号を出力し、前述の各レイヤで処理させるようになっている。
【００４６】
さらに、送受信部１４は、判定部１４ａ、再送処理部１４ｂを備えている。判定部１４ａは、ＵＥ１からの応答信号に含まれる受信確認情報がＤＬ＿ＣＣ１で送信した通信データに係るものか否かを判定するようになっている。この判定部１４ａは、本発明に係る第１の判定部を構成する。なお、ＤＬ＿ＣＣ１で送信した通信データをＤＬ＿ＣＣ１通信データ、ＤＬ＿ＣＣ２で送信した通信データをＤＬ＿ＣＣ２通信データ、ＤＬ＿ＣＣ３で送信した通信データをＤＬ＿ＣＣ３通信データと記す。
【００４７】
前述の受信確認情報は、ＡＣＫ（ACKnowledgement）信号又はＮＡＣＫ（Negative ACKnowledgement）信号を含む。ＡＣＫ信号は、ＵＥ１に送信された通信データに対してＵＥ１が受信に成功した場合に送信する受信成功を示す信号であり、ＮＡＣＫ信号は、ＵＥ１に送信された通信データに対してＵＥ１が受信に失敗した場合に送信する受信不成功を示す信号である。受信確認情報は、ＤＬ＿ＣＣ１、ＤＬ＿ＣＣ２及びＤＬ＿ＣＣ３に対応付けられている。
【００４８】
ここで、判定部１４ａについて詳細に説明する。なお、判定部２４ａ及び３４ａも判定部１４ａと同様であるので、その説明を省略する。また、冒頭で述べたように、本実施形態ではシングルアンテナを用いてＵＥ１と通信を行う構成、すなわちＳＩＳＯ（Single Input Single Output）方式で通信することとしているが、ここではＭＩＭＯ（Multiple Input Multiple Output）方式で通信することを前提として説明する。
【００４９】
ＵＥ１からの上り信号には、通信データだけでなく、第１の試験装置１０からの下り信号のデータチャネルがＵＥ１側で復調することができたか否かを示すＨＡＲＱ−ＡＣＫ情報が含まれている。ＨＡＲＱ−ＡＣＫ情報は、ＡＣＫ情報及びＮＡＣＫ情報を含む。
【００５０】
図２は、第１の試験装置１０が、プライマリコンポーネントキャリアと１つのセカンダリコンポーネントキャリアの計２つのコンポーネントキャリアで構成され、各コンポーネントキャリアが２つのデータストリームを多重したＭＩＭＯ方式の信号で下り信号を送信した場合の、上り信号に含まれるＨＡＲＱ−ＡＣＫ情報での例である。この場合、ＨＡＲＱ−ＡＣＫ情報は４ビットのＡＣＫ／ＮＡＣＫ情報で構成される。なお、図２において、ＴＢ１はＭＩＭＯ方式で送信した１つ目のデータストリームを示し、ＴＢ２はＭＩＭＯ方式で送信した２つ目のデータストリームを示す。
【００５１】
判定部１４ａは、受信したＨＡＲＱ−ＡＣＫ情報から自装置宛のＨＡＲＱ−ＡＣＫ情報を抜き出して、再送処理部１４ｂに送る。自装置がプライマリコンポーネントキャリアとして動作する場合、判定部１４ａは、ＨＡＲＱ−ＡＣＫ（０）とＨＡＲＱ−ＡＣＫ（１）の情報を抜き出す。
【００５２】
このＨＡＲＱ−ＡＣＫ情報は、キャリアコンポーネントの数、下り信号の送信条件（ＭＩＭＯ方式であるかＳＩＳＯ方式であるか）、第１の試験装置１０の通信方式がＦＤＤ（Frequency Division Duplex:周波数分割二重）であるかＴＤＤ（Time Division Duplex：時分割二重）であるか等の条件によって変わり、第１の試験装置１０は各条件によって変化するＨＡＲＱ−ＡＣＫ情報から常に自装置宛のＨＡＲＱ−ＡＣＫ情報を抜き出す機能を有する。
【００５３】
再送処理部１４ｂは、ＵＥ１からＤＬ＿ＣＣ１通信データの再送要求信号（例えばＡＲＱ、ＨＡＲＱ等の制御信号）を受信した場合、該当するＤＬ＿ＣＣ１通信データをＵＥ１に再送するようになっている。この再送処理部１４ｂは、本発明に係る第１の通信データ処理手段を構成する。なお、図１に示した再送処理部１４ｂ（及び２４ｂ、３４ｂ）は、再送機能を概念的に図示したものであって、実際の再送処理は前述のＲＬＣ層及びＭＡＣ層によって行われる。
【００５４】
次に、送受信部１４の詳細な構成及び動作について図３に基づき説明する。なお、送受信部２４及び３４も送受信部１４と同様であるので、その説明を省略する。
【００５５】
図３に示すように、送受信部１４は、ＴＦＴ処理部１４０、ＲＦ送受信部１４５を備え、両者間に送信系及び受信系の構成を有している。これらの各要素には、制御部１３からの設定情報や制御情報等が入力されるようになっている。
【００５６】
送受信部１４は、送信系の構成として、ＰＤＣＰ送信処理部１４１、ＲＬＣ送信処理部１４２、ＭＡＣ送信処理部１４３、ＰＨＹ（物理層）送信処理部１４４を備え、ＭＡＣ送信処理部１４３はＨＡＲＱ再送処理部１４３ａを有する。
一方、送受信部１４は、受信系の構成として、ＰＨＹ受信処理部１４６、ＭＡＣ受信処理部１４７、ＲＬＣ受信処理部１４８、ＰＤＣＰ受信処理部１４９を備え、ＭＡＣ受信処理部１４７はＨＡＲＱ−ＡＣＫ再送処理部１４７ａを有する。
【００５７】
ＴＦＴ処理部１４０は、第１のサーバ１０１からのＩＰデータが自身の持つフィルタ条件と一致している場合のみ、ＰＤＣＰ処理部にデータを送る。フィルタ条件としては、例えばＩＰアドレス、プロトコルタイプ、ポート番号等がある。
【００５８】
以下、第１の試験装置１０の送信時における動作を説明する。ＰＤＣＰ送信処理部１４１は、ＴＦＴ処理部１４０からのデータにＰＤＣＰヘッダを付加してＰＤＣＰパケットとし、ＲＬＣ送信処理部１４２に出力する。
【００５９】
ＲＬＣ送信処理部１４２は、ＰＤＣＰ送信処理部１４１からのＰＤＣＰパケットにＲＬＣヘッダを付加してＲＬＣパケットとし、ＭＡＣ送信処理部１４３に出力する。
【００６０】
ＭＡＣ送信処理部１４３は、ＲＬＣ送信処理部１４２からのＲＬＣパケットに制御部１３からの情報に従ってロジカルチャネルＩＤを含むＭＡＣヘッダを付加してＭＡＣパケットとし、ＰＨＹ送信処理部１４４に出力する。ＭＡＣ送信処理部１４３のＨＡＲＱ再送処理部１４３ａは、ＨＡＲＱ−ＡＣＫ判定部１４７ａからのＨＡＲＱ−ＡＣＫ情報に従って再送処理を行う。
【００６１】
ＰＨＹ送信処理部１４４は、ＭＡＣ送信処理部１４３からのＭＡＣパケットにＰＨＹヘッダを付加したＰＨＹパケットのデータをＯＦＤＭ信号に変調して、ＲＦ送受信部１４５に送信信号データとして出力する。
【００６２】
次に、第１の試験装置１０の受信時における動作を説明する。ＰＨＹ受信処理部１４６は、ＲＦ送受信部１４５からのＳＣ−ＦＤＭＡ信号を復調し、ＰＨＹパケットからＰＨＹヘッダを外したＭＡＣパケットをＭＡＣ受信処理部１４７に出力する。また、ＳＣ−ＦＤＭＡ信号からＨＡＲＱ−ＡＣＫ情報を取り出し、ＨＡＲＱ−ＡＣ判定部１４７ａに出力する。
【００６３】
ＨＡＲＱ−ＡＣ判定部１４７ａは、制御部１３からの情報に従って、ＰＨＹ受信処理部１４６から受信したＨＡＲＱ−ＡＣＫ情報から自コンポーネントキャリアに対する情報だけを取り出し、その情報をＨＡＲＱ再送処理部１４３ａに出力する。
【００６４】
ＭＡＣ受信処理部１４７は、ＭＡＣパケットのＭＡＣヘッダに含まれるロジカルチャネルＩＤが、制御部１３から受信した自己の使用するＩＤと一致しているか否かを確認し、一致した場合のみＭＡＣヘッダを外したＲＬＣパケットをＲＬＣ受信処理部１４８に出力する。
【００６５】
ＲＬＣ受信処理部１４８は、ＲＬＣパケットからＲＬＣヘッダを外したＰＤＣＰパケットをＰＤＣＰ受信処理部１４９に出力する。
【００６６】
ＰＤＣＰ受信処理部１４９は、ＰＤＣＰパケットからＰＤＣＰヘッダを外してＴＦＴ処理部１４０にデータを送る。
【００６７】
第１のスループット測定部１５は、図４に示すように、全体測定部１６、部分測定部１７を備えている。部分測定部１７は、ＣＣ１測定部１７ａ、ＣＣ２測定部１７ｂ、ＣＣ３測定部１７ｃを備えている。なお、第１のスループット測定部１５は、本発明に係るスループット測定手段を構成する。
【００６８】
第１のスループット測定部１５の各測定部は、ＵＥ１からの応答信号に含まれるＡＣＫ信号及びＮＡＣＫ信号をカウントするとともにＤＴＸ（Discontinuous Transmission：不連続送信）をカウントし、［数１］に基づいてスループットを算出するようになっている。ここで、ＤＴＸは、ＵＥ１に送信された通信データに対してＵＥ１からのＡＣＫ／ＮＡＣＫの応答が無かった場合に送受信部１４が検出するものである。スループットは、ＵＥ１の実使用上での無線区間におけるスループットを示す。
【００６９】
［数１］
スループット（ｂｐｓ）＝データレート×ＡＣＫ信号カウント数／（ＡＣＫ信号カウント数＋ＮＡＣＫ信号カウント数＋ＤＴＸカウント数）
【００７０】
具体的には、全体測定部１６は、［数１］に基づき、ＤＬ＿ＣＣ１通信データ、ＤＬ＿ＣＣ２通信データ及びＤＬ＿ＣＣ３通信データに係るＡＣＫ信号カウント数及びＮＡＣＫ信号カウント数及びＤＴＸカウント数から全体のスループットを測定するようになっている。
【００７１】
また、部分測定部１７のうち、例えばＣＣ２測定部１７ｂは、［数１］に基づき、ＤＬ＿ＣＣ２通信データに係るＡＣＫ信号カウント数及びＮＡＣＫ信号カウント数及びＤＴＸカウント数からＤＬ＿ＣＣ２通信データに係るスループットを測定するようになっている。ＣＣ１測定部１７ａ及びＣＣ３測定部１７ｃもこれと同様の機能を有する。
【００７２】
図１に戻り、第２の試験装置２０及び第３の試験装置３０の構成について説明する。第２の試験装置２０及び第３の試験装置３０は、前述の第１の試験装置１０とほぼ同様な構成であるので、簡単に説明する。
【００７３】
第２の試験装置２０は、設定部２１、同期部２２、制御部２３、送受信部２４を備えている。
【００７４】
設定部２１は、ＵＥ１を試験する試験パラメータが試験者によって設定されるものであって、例えばＤＬ＿ＣＣ２の中心周波数を設定するようになっている。この設定部２１は、本発明に係る試験パラメータ設定手段を構成する。
【００７５】
同期部２２は、同期部１２及び３２とともに、第１〜第３の試験装置１０〜３０の間でのシステムクロックを統一するものである。また、同期部２２は、同期部１２及び３２とともに、シンボルタイミング及びフレームタイミングを互いに一致させるようになっている。
【００７６】
制御部２３は、第２の試験装置２０の全体的な制御を行うようになっている。また、制御部２３は、制御部１３からＤＬ＿ＣＣ２のセル使用可能通知信号を受信した場合、第２の試験装置２０がＤＬ＿ＣＣ２のセルを使用する試験を行うよう制御するようになっている。
【００７７】
送受信部２４は、判定部２４ａ、再送処理部２４ｂを備えている。判定部２４ａは、ＵＥ１からの応答信号に含まれる受信確認情報がＤＬ＿ＣＣ２通信データに係るものか否かを判定するようになっている。また、送受信部２４は、階層構造の機能を有し、第２のサーバ１０２からの試験データを含むＩＰパケットを無線信号としてＵＥ１に送信するとともに、ＵＥ１からのＩＰパケットを含む無線信号を受信するようになっている。送受信部２４の各層の構成は、送受信部１４と同様であるので説明を省略する。なお、送受信部２４は、本発明に係る送信信号受信手段を構成する。また、判定部２４ａは、本発明に係る第２の判定部を構成する。
【００７８】
再送処理部２４ｂは、ＵＥ１からＤＬ＿ＣＣ２通信データの再送要求の信号（例えばＡＲＱ、ＨＡＲＱ等の制御信号）を受信した場合、該当するＤＬ＿ＣＣ２通信データをＵＥ１に再送するようになっている。この再送処理部２４ｂは、本発明に係る第２の通信データ処理手段を構成する。
【００７９】
第３の試験装置３０は、設定部３１、同期部３２、制御部３３、送受信部３４を備えている。
【００８０】
設定部３１は、ＵＥ１を試験する試験パラメータが試験者によって設定されるものであって、例えばＤＬ＿ＣＣ３の中心周波数を設定するようになっている。この設定部３１は、本発明に係る試験パラメータ設定手段を構成する。
【００８１】
同期部３２は、同期部１２及び２２とともに、第１〜第３の試験装置１０〜３０の間でのシステムクロックを統一するものである。また、同期部３２は、同期部１２及び２２とともに、シンボルタイミング及びフレームタイミングを互いに一致させるようになっている。
【００８２】
制御部３３は、第３の試験装置３０の全体的な制御を行うようになっている。また、制御部３３は、制御部１３からＤＬ＿ＣＣ３のセル使用可能通知信号を受信した場合、第３の試験装置３０がＤＬ＿ＣＣ３のセルを使用する試験を行うよう制御するようになっている。
【００８３】
送受信部３４は、判定部３４ａ、再送処理部３４ｂを備えている。判定部３４ａは、ＵＥ１からの応答信号に含まれる受信確認情報がＤＬ＿ＣＣ３通信データに係るものか否かを判定するようになっている。また、送受信部３４は、階層構造の機能を有し、第３のサーバ１０３からの試験データを含むＩＰパケットを無線信号としてＵＥ１に送信するとともに、ＵＥ１からのＩＰパケットを含む無線信号を受信するようになっている。送受信部３４の各層の構成は、送受信部１４と同様であるので説明を省略する。なお、送受信部３４は、本発明に係る送信信号受信手段を構成する。また、判定部３４ａは、本発明に係る第２の判定部を構成する。
【００８４】
再送処理部３４ｂは、ＵＥ１からＤＬ＿ＣＣ３通信データの再送要求の信号（例えばＡＲＱ、ＨＡＲＱ等の制御信号）を受信した場合、該当するＤＬ＿ＣＣ３通信データをＩＰパケットに含めてＵＥ１に再送するようになっている。この再送処理部３４ｂは、本発明に係る第２の通信データ処理手段を構成する。
【００８５】
結合器１０４は、例えば同軸ケーブルを介してＵＥ１に接続され、送受信部１４、２４、３４からの各無線信号をＵＥ１に送信するとともに、ＵＥ１から受信した無線信号を送受信部１４、２４、３４に出力するようになっている。
【００８６】
第２のスループット測定部１０５は、例えばＰＣで構成され、ＵＥ１が受信して転送したＩＰパケットのＣＲＣ（Cyclic Redundancy Check：巡回冗長検査）値を確認し、その確認結果が正常であれば試験データのデータサイズを表すカウント数をカウントし、試験データをダウンロードした時間でカウント数を除してスループットを求めるようになっている。このスループットは、単位時間当たりの試験データの転送データ量を示し、ＩＰ層のスループットを示す。なお、第２のスループット測定部１０５は、本発明に係るスループット測定手段を構成する。
【００８７】
次に、設定部１１、２１及び３１による設定例として、下りリンク及び上りリンクにおけるキャリアコンポーネントの中心周波数の設定について説明する。
【００８８】
図５に示すように、設定部１１、２１及び３１は、第１〜第３の試験装置１０１〜１０３の装置間で、下りリンクにおいて互いに異なる周波数を設定し、上りリンクにおいて共通の周波数を設定するようになっている。第１の試験装置１０の設定部１１は、下りリンクではＤＬ＿ＣＣ１の中心周波数を設定し、上りリンクでは共通のＵＬ＿ＣＣの中心周波数を設定するようになっている。第２の試験装置２０の設定部２１は、下りリンクではＤＬ＿ＣＣ２の中心周波数を設定し、上りリンクでは共通のＵＬ＿ＣＣの中心周波数を設定するようになっている。第３の試験装置３０の設定部３１は、下りリンクではＤＬ＿ＣＣ３の中心周波数を設定し、上りリンクでは共通のＵＬ＿ＣＣの中心周波数を設定するようになっている。
【００８９】
次に、本実施形態における移動通信端末試験システム１００の動作について図６を用いて説明する。
【００９０】
設定部１１、２１及び３１は、それぞれ、第１〜第３の試験装置１０〜３０の試験パラメータを設定する（ステップＳ１１）。具体的には、設定部１１は、ＤＬ＿ＣＣ１の中心周波数、ＵＬ＿ＣＣの中心周波数、第１〜第３のサーバ１０１〜１０３の各ＩＰアドレス、ＵＥ１のＩＰアドレス等を設定する。また、設定部２１は、ＤＬ＿ＣＣ２の中心周波数等を設定する。また、設定部３１は、ＤＬ＿ＣＣ３の中心周波数等を設定する。設定部１１、２１及び３１が設定した試験パラメータの情報は、それぞれ、制御部１３、２３及び３３に出力される。
【００９１】
同期部１２、２２及び３２は、第１〜第３の試験装置１０〜３０の間でのシステムクロックの統一と、シンボルタイミング及びフレームタイミングを統一する制御を行う（ステップＳ１２）。
【００９２】
制御部１３は、第１の試験装置１０とＵＥ１との間で呼接続を確立する（ステップＳ１３）。
【００９３】
制御部１３、２３及び３３は、ＵＥ１との間でＣＣ（コンポーネントキャリア）数と同数のＥＰＳベアラを確立する（ステップＳ１４）。なお、本実施形態では、ＣＣ数を３としている。
【００９４】
制御部１３は、ＤＬ＿ＣＣ２及びＤＬ＿ＣＣ３をアクティベーションする（ステップＳ１５）。なお、ステップＳ１４とステップＳ１５とは、順序が逆でもよい。
【００９５】
制御部１３は、セル使用可能通知信号を制御部２３及び３３に出力することにより、ＤＬ＿ＣＣ２及びＤＬ＿ＣＣ３を使用するセルが使用可能であることを示すセル使用可能状態を通知する（ステップＳ１６）。
【００９６】
送受信部１４、２４及び３４は、それぞれ、第１〜第３のサーバ１０１〜１０３が出力した試験データをＵＥ１に送信する（ステップＳ１７）。
【００９７】
再送処理部１４ｂ、２４ｂ及び３４ｂは、それぞれ、ＵＥ１から再送要求信号を受信したか否かを判断し（ステップＳ１８）、第１〜第３の試験装置１０〜３０ごとに再送処理を行う（ステップＳ１９〜Ｓ２１）。
【００９８】
具体的には、再送処理部１４ｂは、判定部１４ａがＵＥ１からＤＬ＿ＣＣ１通信データの再送要求信号を受信したと判定した場合は、該当するＤＬ＿ＣＣ１通信データをＵＥ１に再送する（ステップＳ１９）。また、再送処理部２４ｂは、判定部２４ａがＵＥ１からＤＬ＿ＣＣ２通信データの再送要求信号を受信したと判定した場合は、該当するＤＬ＿ＣＣ２通信データをＵＥ１に再送する（ステップＳ２０）。また、再送処理部３４ｂは、ＵＥ１からＤＬ＿ＣＣ３通信データの再送要求信号を受信したと判定した場合は、該当するＤＬ＿ＣＣ３通信データをＵＥ１に再送する（ステップＳ２１）。なお、前述のステップＳ１９〜２１の処理は、常にこの順序で行われるわけではなく、必要に応じて実行される。
【００９９】
ステップＳ１９〜Ｓ２１の後、又はステップＳ１８においてＵＥ１から再送要求信号を受信したと判断しなかった場合は、ステップＳ２２〜Ｓ２４及びステップＳ２５〜Ｓ２７の処理が行われる。
【０１００】
すなわち、ＵＥ１は、第１〜第３の試験装置１０〜３０からＤＬ＿ＣＣ１通信データ、ＤＬ＿ＣＣ２通信データ及びＤＬ＿ＣＣ３通信データをそれぞれ受信し、これらに対応する応答信号を送信する（ステップＳ２２）。
【０１０１】
第１のスループット測定部１５は、ＵＥ１からの応答信号に含まれるＡＣＫ信号及びＮＡＣＫ信号をカウントし（ステップＳ２３）、スループットを算出する（ステップＳ２４）。
【０１０２】
一方、ＵＥ１は、第１〜第３の試験装置１０〜３０からＤＬ＿ＣＣ１通信データ、ＤＬ＿ＣＣ２通信データ及びＤＬ＿ＣＣ３通信データをそれぞれ受信し、第２のスループット測定部１０５に転送する（ステップＳ２５）。
【０１０３】
第２のスループット測定部１０５は、転送された各試験データのＩＰパケットのＣＲＣ値を確認し、ＣＲＣ値が正常であれば試験データのデータサイズを表すカウント数をカウントし（ステップＳ２６）、試験データをダウンロードした時間でカウント数を除してスループットを算出する（ステップＳ２７）。
【０１０４】
以上のように、本実施形態における移動通信端末試験システム１００は、第１の試験装置１０、第２の試験装置２０及び第３の試験装置３０が、それぞれ、第１のサーバ１０１、第２のサーバ１０２及び第３のサーバ１０３から互いに異なる経路で試験データをそれぞれ受信し、第１の試験装置１０がＤＬ＿ＣＣ１によって試験データをＵＥ１に送信し、第２の試験装置２０及び第３の試験装置３０がＤＬ＿ＣＣ２、ＤＬ＿ＣＣ３によって試験データをＵＥ１に送信する構成としたので、複数のコンポーネントキャリアを用いて通信するＵＥ１を簡易な構成で試験することができる。
【０１０５】
なお、前述の実施形態において、複数の試験データ出力手段として３台のサーバを例に挙げて説明したが、本発明はこれに限定されず、例えば、１台のＰＣに、互いにアドレスが異なる３つのネットワークインターフェースカードを装着して試験データをＵＥ１に送信する構成としても同様な効果が得られる。
【０１０６】
また、３台のサーバを各試験装置の内部に仮想的に設ける構成であってもよい。
【０１０７】
また、前述の実施形態において、各試験装置にそれぞれ設定部を設ける構成を例に挙げて説明したが、本発明はこれに限定されず、例えば、１台のＰＣと各試験装置とをＧＰＩＢ（General Purpose Interface Bus）やローカルエリアネットワーク等で接続し、ＰＣから各試験装置に試験パラメータを設定する構成としても同様の効果が得られる。
【０１０８】
また、前述の実施形態において、第２のスループット測定部１０５の機能をＵＥ１に持たせる構成としてもよい。例えば、第２のスループット測定部１０５の機能を有するアプリケーションをＵＥ１にインストールすることにより、ＵＥ１はスループットを測定することができる。
【０１０９】
また、前述の実施形態において、移動通信端末試験システム１００は、第１のスループット測定部１５と、第２のスループット測定部１０５とのうち、いずれか一方のみを備える構成としてもよい。
【産業上の利用可能性】
【０１１０】
以上のように、本発明に係る移動通信端末試験システム及び移動通信端末試験方法は、複数のコンポーネントキャリアを用いて通信する移動通信端末を簡易な構成で試験することができるという効果を有し、複数のコンポーネントキャリアを用いて通信する移動通信端末を試験する移動通信端末試験システム及び移動通信端末試験方法として有用である。
【符号の説明】
【０１１１】
１０  第１の試験装置
１１、２１、３１  設定部（試験パラメータ設定手段）
１２、２２、３２  同期部
１３、２３、３３  制御部
１４、２４、３４  送受信部（送信信号受信手段）
１４ａ  判定部（第１の判定部）
１４ｂ  再送処理部（第１の通信データ処理手段）
１５  第１のスループット測定部（スループット測定手段）
１６  全体測定部
１７  部分測定部
１７ａ  ＣＣ１測定部
１７ｂ  ＣＣ２測定部
１７ｃ  ＣＣ３測定部
２０  第２の試験装置
２４ａ、３４ａ  判定部（第２の判定部）
２４ｂ、３４ｂ  再送処理部（第２の通信データ処理手段）
３０  第３の試験装置
１００  移動通信端末試験システム
１０１  第１のサーバ（試験データ出力手段）
１０２  第２のサーバ（試験データ出力手段）
１０３  第３のサーバ（試験データ出力手段）
１０４  結合器
１０５  第２のスループット測定部（スループット測定手段）
【図１】
2015035689.tif 000003
【図２】
2015035689.tif 000004
【図３】
2015035689.tif 000005
【図４】
2015035689.tif 000006
【図５】
2015035689.tif 000007
【図６】
2015035689.tif 000008